(57)【要約】【課題】小形電球用ソケットにおいて本体部分を標準化し、機器への取付けに適合する部材を組み合わせることにより合理的なソケットを提供する。【解決手段】絶縁樹脂材にて形成された内部に口金受け部８を有するソケット本体２と該ソケット本体２の後部開口に電気接触片を有する蓋３を装着して小形電球用ソケット１を構成するとともに、小形電球用ソケットと別体の二つ割り部品Ａ，Ｂであって前記ソケット本体２を抱持するホルダー部２０と機器に取り付けられる取付け部２１とからなる取付け装置１９を用い、種々の取付け装置を選択使用することにより要求される機器の取付け方法に対応するようにした。【選択図】図６
2008258125.tif 000002
【特許請求の範囲】
【請求項１】
前部と後部を開口する筒状を成し内面に電球口金を受ける螺旋状溝より成る口金受け部を形成した硬質絶縁樹脂材より成るソケット本体と、絶縁樹脂材にて前記ソケット本体の後部開口を覆う形状に成形されるとともに電気接触片が取り付けられている蓋体とより成り、前記蓋体は前記ソケット本体の後部開口に前記電気接触片が電球口金及び接点と接触するように装着されたことを特徴とする小形電球用のソケット。
【請求項２】
電気接触片は口金受け部を形成する螺旋状溝の一部に設けた長手方向の金型抜き溝を通して挿入され口金に接触するようにした請求項１記載の小形電球用のソケット。
【請求項３】
電気接触片は蓋体に予め形成された突起部を溶融することにより前記蓋体に溶着固定されるようにした請求項１〜請求項２のいずれか一項に記載の小形電球用のソケット。
【請求項４】
ソケット本体の前部開口内に装着され口金受け部を密封するリング状ゴムを備えた請求項１〜請求項３のいずれか一項に記載の小形電球用のソケット。
【請求項５】
少なくとも二分割の部品より成り、蓋が装着されリード線が接続された状態でソケット本体を抱持するホルダー部と取付け機器に適宜装着される取付け部とから成る請求項１〜請求項４のいずれか一項に記載の小形電球用のソケットを取り付けるための取付け装置。
【発明の詳細な説明】
【技術分野】
【０００１】  本発明は電気冷蔵庫や電子レンジ等庫内照明を必要とする機器の小形電球用のソケットおよびその取付け装置に関する。
【背景技術】
【０００２】  公知の如く電気冷蔵庫の扉を開けたとき収納物が明瞭に目視しやすいように小形電球が点灯される構造となっているのが一般的になっている。また電子レンジにおいても加熱時に内容物を目視できるように照明がなされている。従来、この種の庫内照明用のソケットとしては特開２００４−０３７００４号公報（特許文献１）、特許第３４５９９９８号公報（特許文献２）等が知られている。【０００３】  近年、特に電気冷蔵庫においては内容積拡大に伴い照明の位置が多様に変化しており、それにともなってソケットの取付け方法も多様化する傾向にある。【０００４】  以下、図１０により特開２００４−０３７００４号公報（特許文献１）に示されている従来例について説明すると、５０は庫内灯装置で冷蔵庫の内壁Ｒに取り付けられたソケット本体５１から成っている。ソケット本体５１は電球の口金部をねじ込む受け金部を予めリード線を半田付けした状態で内蔵したソケット部と冷蔵庫の内箱壁Ｒに取り付けるための取付け部とがモールド成形により一体化されている。この場合、電球の軸が内箱壁Ｒと平行になるように構成されており、その他の取付け方を採用することはできない。【０００５】  また、特許第３４５９９９８号公報（特許文献２）にはソケット本体内に受け金部を内蔵する代わりに端子部材を内蔵し、電球を挿入したとき口金部が直接端子部材に接触するようにしたものが示されている（公報図１参照）。この場合はソケット本体と取付け部とが一定の角度を有しているため壁面に対して傾けて装着することができるものである。【０００６】  しかしながらソケット本体と取付け部とが一体成形される点は前記特許文献１のものと同様であるため、このソケットを使用する限りは一つの角度・一つの取付け方法で取付けることしかできないのは勿論である。【０００７】  また、別の従来例として図１１に示すものが知られている。すなわち図１１において６０は硬質樹脂材よりなるソケット本体で、電球がねじ込まれる螺旋状溝６１が形成されたソケット部６２と機器に装着されるフランジ溝６３を有する取付け部６４とが直角を成すように一体成形されている。そして取付け部６４は端部を開口６５する円筒状をなしている。６６は前記開口６５に挿入される端子部材である。端子部材６６は二つ割りの軟質樹脂材より成る蓋６７とこの蓋６７に挟持された電気接触片６８、６９より成る。尚、前記電気接触片６８、６９はリード線７０、７０に予め接続されている。【０００８】  上記従来の構成によれば受け金はソケット部６２に内蔵されておらず、従って挿入された電球の口金部が直接端子部材６６と接触するものである。また端子部材６６もソケット本体６０と一体成形されるものではなく、電気接触片６８、６９を軟質樹脂材より成る蓋６７で挟持するものである。そして取付け部６４はソケット部６２と一体成形されるものであるため、壁面に対しては一定の取付け方（９０度）しかできないものであった。
【特許文献１】特開２００４−０３７００４号公報
【特許文献２】特許第３４５９９９８号公報
【発明の開示】
【発明が解決しようとする課題】
【０００９】  前述の如く、電気冷蔵庫等における庫内灯の取付け方についての要求は多様化しており、電球の軸が内箱壁Ｒに垂直な構成や、ある角度になる場合も生じる。したがって従来構成のままで多様化する要求に応えようとすれば、夫々のソケットは要求に応じた専用構造となり、品種ごとに夫々の金型を準備する必要があった。【００１０】  本発明は、小形電球の各種標準サイズに適合する本体部分と蓋部分を組み合わせるだけで小型電球用ソケットを構成すること、及びソケットとは別体にした取付け装置を用いて前記小型電球用ソケットを機器に装着するように工夫することにより、取付け装置のみを選択することにより同じ電球用ソケットを種々の要求に応じた取り付け方で装着できるようにするものである。
【課題を解決するための手段】
【００１１】  前記目的を達成するため、
請求項１に係る発明の小形電球用のソケットは、前部と後部を開口する筒状を成し内面に電球口金を受ける螺旋状溝より成る口金受け部を形成した硬質絶縁樹脂材より成るソケット本体と、絶縁樹脂材にて前記ソケット本体の後部開口を覆う形状に成形されるとともに電気接触片が取り付けられている蓋体とより成り、前記蓋体は前記ソケット本体の後部開口に前記電気接触片が電球口金及び接点と接触するように装着されたこと特徴とするものである。【００１２】  請求項２に係る発明の小形電球用のソケットは、電気接触片が口金受け部を形成する螺旋状溝の一部に設けた長手方向の金型抜き溝を通して挿入され口金に接触するようにしたものである。【００１３】  請求項３に係る発明の小形電球用のソケットは電気接触片が蓋体に予め形成された突起部を溶融することにより前記蓋体に溶着固定されるようにしたものである。【００１４】  請求項４に係る発明の小形電球用のソケットは、ソケット本体の前部開口内に装着され口金受け部を密封するリング状ゴムを備えたことを特徴とするものである。【００１５】  請求項５に係る発明の小形電球用のソケットを取り付けるための取付け装置は、少なくとも二分割の部品より成り、蓋が装着されリード線が接続された状態でソケット本体を抱持するホルダー部と取付け機器に適宜装着される取付け部とから成ることを特徴とするものである。
【発明の効果】
【００１６】  本発明によれば次のような効果がある。【００１７】  請求項１に係る発明によれば、ソケット本体と口金受け部及び機器への取付け部をモールドにより一体成形する必要がないのでソケットの構成が簡素化され品質が安定しコストが低廉となる。【００１８】  請求項２に係る発明によれば電気接触片が長手方向の金型抜きを通して挿入されるため容易に位置決め出来、組立てが容易であると同時に口金部との接触が良好となる。【００１９】  請求項３に係る発明によれば、電気接触片が蓋体に予め形成されている突起部を溶融することにより前記蓋体に溶着固定されるので螺子あるいは鋲による取付けが不要である。【００２０】  請求項４に係る発明によれば口金受け部を密封するリング状ゴムによりソケット内部を密封できるので可燃性ガスの浸入を防止することができるものである。【００２１】  請求項５に係る発明によればソケット本体とは別体の取付け装置により機器に装着するものであるため取付け装置を選択することで標準化されたソケット本体を種々の要求に応じた取付け方法で機器に装着することが可能となるものである。
【発明を実施するための最良の形態】
【００２２】  以下に図面を参照しながら本発明を実施するための最良の形態の説明をする。なお、本発明は本実施の形態により限定されるものではない。【００２３】  （実施の形態１）
図１は本発明の実施の形態１における小形電球用のソケットの側面図で、図２は同じく分解斜視図を示す。また、図３は図２のＩＩＩ−ＩＩＩ′線における断面図、図４同じくは図２のＩＶ−ＩＶ′線における断面図である。【００２４】  図において１は小形電球用のソケットで、たとえば硬質樹脂材で形成されたソケット本体２とソケット本体２の後端部に装着される樹脂材よりなる蓋３とから構成されるものである。４はソケット本体２に装着された小型電球であり、５は前記蓋３に組み込まれた後述する電気接触片に接続されたリード線である。【００２５】  前記ソケット本体２は図２、図３及び図４により詳細に示されるように全体に円筒状を成し前端部と後端部に開口６ａ、６ｂを有するとともに前端部に大径部７が形成されている。【００２６】  前記ソケット本体２の内部には螺旋状溝より成る口金受け部８が形成されている。そして口金受け部８の一部には螺旋状溝を横切るように後端部の開口６ｂから長手方向に設けた金型抜き溝９を備えている。また、前端部開口６ａの内奥部には大径部７によって形成された段部１０が形成されている。【００２７】  １２は前記大径部７内に前記段部１０と少許間隔を有して形成された突条である。【００２８】  而して前記ソケット本体２の後端部外周には爪より成る係合部１３が二箇所に形成されている。【００２９】  次に前記した小型電球４は電気冷蔵庫等の庫内照明に用いられるものであって、管球ガラス部４ａと管球係合部４ｂに取り付けた電球口金４ｃより成る一般的なものである。該小型電球４は前記ソケット本体２内に口金受け部８に電球口金４ｃをねじ込むことにより装着される。このとき、前記大径部７内にリング状ゴム１４を装着することにより前記管球係合部４ｂと段部１０とに密着して電球口金４ｃを外部雰囲気から密封する。前記リング状ゴム１４は前記突条１２を越えて押し込むことにより容易に装着され且つ簡単に抜け止めが図られている。【００３０】  次に前記蓋３について説明する。蓋３は前記ソケット本体２の後端部に開口６ｂを完全に覆う大きさの円盤形状を有し外周部に前記ソケット本体２の係合部１３と係合する係合片１５が形成されている。また、蓋３には周辺端子１６ａと中心端子１６ｂとから成る電気接触片１６が装着されており、それぞれの電気接触片１６は蓋３を貫通して延出した接続部１７ａ、１７ｂにて前記リード線５と溶接等により接続されている。なお、前記電気接触片１６（１６ａ、１６ｂ）は図５に最も詳細に示すように蓋３の内側の一部に予め形成されている突起部１８を溶融することにより溶着固定されている。【００３１】  而して前記蓋３が係合片１５により前記ソケット本体２に取り付けられた状態が図３に示されている。この状態において、周辺端子１６ａは前記金型抜き溝９を通してソケット本体２内に挿入され電球口金４ｃに接触する。また、中心端子１６ｂは小型電球４の中心電極４ｄと接触するものであるが、これら周辺端子１６ａと中心端子１６ｂの接触具合は前記蓋３の組立て時に調整可能である。【００３２】  上述のように構成された小型電球用ソケット１は以下に述べる取付け装置により対象機器に取り付けられるが、これとは別に図１に破線で示すように単に取付け片イを設け螺子ロにより取り付けることも勿論可能である。【００３３】  以下本発明の取付け装置１９につき図６に従って説明する。図６は本発明の実施の形態１による取付け装置１９の分解斜視図を示している。取付け装置１９は縦方向に二つに分割された部品Ａ、Ｂから成りそれぞれソケット本体２を抱持するホルダー部２０と機器に取り付けられるフランジ溝２２を有する取付け部２１が樹脂材により一体成形されたものである。前記部品Ａ、Ｂはソケット本体２を抱持した状態で接着かまたは超音波溶着等の適宜手段により固着される。【００３４】  また、図示の如く前記ホルダー部２０と取付け部２１とは中心軸が直角を成しており、従って機器に取り付けられた状態では小型電球４は機器の取付け壁面（図示せず）に対して平行となる。【００３５】  なお、部品Ａ、Ｂを合わせた状態では前記ホルダー部２０と取付け部２１はそれぞれ円筒形を成しており取付け部２１の中を通してリード線５が引き出される。また、取付け部２１はフランジ溝２２を利用して機器に装着するものであるが、取付け構造はこの例に限定する必要はない。【００３６】  上記実施の形態１によれば、小型電球用ソケット１と取付け装置１９とがそれぞれ別個に形成されるものであるため、小型電球用ソケット１は同じ標準品を多量に生産し、品質の安定性を得ると共に、取付け装置１９は機器の取付け要求に応じて選択使用すれば良いので無駄がなく、生産コストも低廉化することができるものである。【００３７】  （変形例等）
前記実施の形態１ではホルダー部２０と取付け部２１が直角に形成されたものについて説明したが、図７に示すものはホルダー部２３と取付け部２４が直角ではなく、即ちホルダー部２３が水平に対して所定角度傾いている。このような取付け装置１９ａを用いると電球４は壁面に対して傾きを持って装着されることになる。【００３８】  また、図８に示す取付け装置１９ｂはホルダー部２５と取付け部２６は角度を有せず同一軸心に形成されている。このような取付け装置１９ｂを用いたときは電球４を壁面に対して直角に取り付けることができる。【００３９】  図９に示す取付け装置１９Ｃの取付け部２７は二つ割りではなく、ホルダー部２６のみ上下に二分割としたものである。このような構成により取付け装置１９Ｃの構造が簡単となり組立ても簡略化することができるものである。
【産業上の利用可能性】
【００４０】  本発明は各種標準サイズの小型電球用ソケットを機器の取付け要求に応じて種々の使い分けを可能にするものであり産業上きわめて有用である。
【図面の簡単な説明】
【００４１】
【図１】本発明の一実施の形態における小型電球用ソケットの側面図
【図２】図１に示す小型電球用ソケットの分解斜視図
【図３】図２のＩＩＩ−ＩＩＩ′線における電球装着状態の断面図
【図４】図２のＩＶ−ＩＶ′線における断面図
【図５】図３のＭ部の拡大詳細断面図
【図６】本発明の一実施の形態における小型電球用ソケットの取付け装置の分解斜視図
【図７】本発明の変形例を示す小型電球用ソケットの取付け装置の側面図
【図８】本発明の別の変形例を示す小型電球用ソケットの取付け装置の側面図
【図９】本発明のさらに別の変形例を示す小型電球用ソケットの取付け装置の側面図
【図１０】従来例における小型電球用ソケットの縦断面図
【図１１】別の従来例における小型電球用ソケットの分解した縦断面図
【符号の説明】
【００４２】  １    小形電球ソケット
２    ソケット本体
３    蓋
４ｃ    小形電球の口金
５    リード線
６ａ    前部開口
６ｂ    後部開口
８    口金受け部
９    金型抜き溝（螺旋状溝）
１４    リング状ゴム
１６    電気接触片
１８    突起部
１９    取付け装置
２０    ホルダー部
２１    取付け部
Ａ，Ｂ    二分割部品
【図１】
2008258125.tif 000003
【図２】
2008258125.tif 000004
【図３】
2008258125.tif 000005
【図４】
2008258125.tif 000006
【図５】
2008258125.tif 000007
【図６】
2008258125.tif 000008
【図７】
2008258125.tif 000009
【図８】
2008258125.tif 000010
【図９】
2008258125.tif 000011
【図１０】
2008258125.tif 000012
【図１１】
2008258125.tif 000013